(57)【要約】      （修正有）【課題】二つの鈴をペアにして用いることで、見た目がよく、一方が損傷、紛失した場合の利便性があり、また、有事には二つの鈴が同時に鳴るために確実に防犯機能を果たすことができるペア鈴を提供する。【解決手段】非磁性体製中空体である鈴本体１と、鈴本体１に内装される転動子２が共に永久磁石である鈴Ａ、Ｂ、あるいは、一方の鈴の鈴本体１に内装される転動子２が永久磁石であり、他方の鈴の鈴本体１に内装される転動子２が磁性体である鈴Ａ、Ｂをペアにして用いる。通例、ペアとなる一対の鈴Ａ、Ｂは同一形状である。鈴本体１の一部、例えば、側面及び／又は底面が平坦面とされることがある。【選択図】図１
0003224924.tif 000002
【実用新案登録請求の範囲】
【請求項１】
鈴本体が非磁性体製中空体である鈴のペアであって、前記鈴本体に内装される転動子が共に永久磁石であることを特徴とするペア鈴。
【請求項２】
鈴本体が非磁性体製中空体である鈴のペアであって、一方の鈴の前記鈴本体に内装される転動子は永久磁石であり、他方の鈴の前記鈴本体に内装される転動子は磁性体であることを特徴とするペア鈴。
【請求項３】
ペアとなる前記一対の鈴は同一形状である、請求項１又は２に記載のペア鈴。
【請求項４】
前記鈴本体の一部が平坦面である、請求項１乃至３のいずれかに記載のペア鈴。
【請求項５】
前記鈴本体の側面及び／又は底面が平坦面である、請求項４に記載のペア鈴。
【考案の詳細な説明】
【技術分野】
【０００１】
本考案は、ペア鈴に関するものであり、より詳細には、二つの鈴を組み合わせて成るものであって、防犯機能を奏するペア鈴に関するものである。
【背景技術】
【０００２】
例えば、多くのカバンやバッグの開口部にはファスナーが利用されており、その場合、一対のスライダーによって両側から開閉操作可能になっているものが多い。このような態様の開口部の場合、開口後閉め忘れたままにされることが少なくないが、使用者がこの状況に気付かないこともまた、しばしばある。また、満員電車等の混雑状況下において、付勢に開口されることも起こり得る。
【０００３】
かかる状況に鑑み、容易にファスナーの開閉状態を把握でき、防犯効果を向上させるようにしたファスナーを開示するものとして、特開２０１８−５７６０７号公報がある。そこに開示されているファスナーは、一方のスライダーに駒（転動子）が磁性体である鈴を取り付け、他方のスライダーに磁石を取り付けたものである。
【先行技術文献】
【特許文献】
【０００４】
【特許文献１】特開２０１８−５７６０７号公報
【考案の概要】
【考案が解決しようとする課題】
【０００５】
上記提案に係るファスナーは、一方のスライダーに、駒が磁性体である鈴を取り付け、他方のスライダーに磁石を取り付けたものであるため、見た目がよくなく、また、その鈴又は磁石が損傷、紛失した場合、相互に対応する鈴又は磁石を用意しなければならないという煩わしさがある。更に、防犯のための鈴の音は一つであるため、状況によっては聞き取りにくくなるという懸念もある。
【０００６】
そこで本考案は、二つの鈴をペアにして用いることで、見た目がよく、一方が損傷、紛失した場合の交換が容易であり、また、有事には二つの鈴が同時に鳴るために確実に防犯機能を果たすことができるペア鈴を提供することを課題とする。
【課題を解決するための手段】
【０００７】
上記課題を解決するための請求項１に記載の考案は、鈴本体が非磁性体製中空体である鈴のペアであって、前記鈴本体に内装される転動子が共に永久磁石であることを特徴とするペア鈴であり、上記課題を解決するための請求項２に記載の考案は、鈴本体が非磁性体製中空体である鈴のペアであって、一方の鈴の前記鈴本体に内装される転動子は永久磁石であり、他方の鈴の前記鈴本体に内装される転動子は磁性体であることを特徴とするペア鈴である。
【０００８】
一実施形態においては、ペアとなる前記一対の鈴は同一形状にされる。また、一実施形態においては、前記鈴本体の一部が平坦面にされる。その場合、例えば、前記鈴本体の側面及び／又は底面が平坦面にされる。
【考案の効果】
【０００９】
本考案に係るペア鈴は、通例、同一形状の二つの鈴で構成されるため、カバン、バッグ等の開口部における両開きファスナーのスライダー摘みに取り付けた場合に見栄えがよく、また、一方の鈴が損傷、紛失しても、替えが容易であるので、経済的という効果がある。
【００１０】
また、二つの鈴で構成されていて、開口部が閉められて双方の鈴が近接した際には、双方の転動子同士が非磁性体である鈴本体を挟んで磁着するために鈴の音が鳴らないので、開口部が締まっていることを確認することができ、閉め忘れ時、あるいは、第三者による不正開口時には、鈴同士が離れることで鈴が鳴るために、開口部が開いていることを確認することができ、その際鈴の音は二カ所から発せられることになるため、より確実に防犯機能を果たし得る効果がある。
【００１１】
更に、請求項４及び５に係る考案の場合は、鈴本体の一部が平坦面であるため、鈴本体が球体である場合に比較して鈴同士が磁着しやすく、且つ、安定した磁着状態が得られる効果がある。
【図面の簡単な説明】
【００１２】
【図１】本考案に係るペア鈴の使用状態を示す図である（ファスナー閉じ状態）。
【図２】本考案に係るペア鈴の使用状態を示す図である（ファスナー開状態）。
【図３】本考案に係るペア鈴の他の実施形態の使用状態を示す図である（ファスナー開状態）。
【図４】本考案に係るペア鈴の磁着状態を示す図である。
【考案を実施するための形態】
【００１３】
本考案に係るペア鈴につき、添付図面に依拠して説明する。本考案に係るペア鈴は、鈴本体１が非磁性体製中空体である鈴Ａ，Ｂのペアであって、鈴本体１に内装される転動子２が共に永久磁石である場合と、一方の鈴の鈴本体１に内装される転動子２は永久磁石であり、他方の鈴の鈴本体１に内装される転動子２は磁性体である場合とがある。
【００１４】
鈴本体１には、一般の鈴と同様に、スリット状開口３が設けられる。通例、ペアとなる一対の鈴Ａ，Ｂは同一形状であり、それぞれ下げ紐４が取り付けられる。図中転動子２は、球形に表現されているが、実際には、棒状又は柱状のものである。
【００１５】
本考案に係るペア鈴は、例えば、カバンの開口部を開閉するファスナー１１の一対のスライダー摘み１２，１３に、下げ紐４を介して取り付けて用いられる。図１に示されるファスナー１１を閉じた状態のときは、スライダー摘み１２，１３が近接して鈴Ａ，Ｂ同士が密着する。即ち、ファスナー１１が閉じられるとスライダー摘み１２，１３が近接し、鈴Ａ，Ｂ同士も近接するため、少なくとも一方が永久磁石である鈴Ａの転動子２と鈴Ｂの転動子２とが磁着し合い、鈴Ａと鈴Ｂが密着する。その状態においては、転動子２は自由運動できないので、鈴は鳴らない。従って、当該カバンの携帯時に鈴Ａ，Ｂが鳴らないときは、開口部が適正に閉められていると理解することができる。
【００１６】
一方、図２に示されるように、ファスナー１１が開かれた開口時においては、鈴Ａ，Ｂ同士が離隔され、それぞれの転動子２が鈴本体１内において自由になることから、通常の鈴同様、鈴の音が発せられることになる。従って、当該カバンの携帯時に鈴Ａ，Ｂが鳴るときは、開口部を閉め忘れたか、不正に開口されたかのいずれかであると理解され、即座に対処することが可能となる。
【００１７】
好ましい実施形態においては、鈴本体１の一部に平坦面５が形成される（図３，４参照）。平坦面５とされるのは、通例、側面又は底面であり、あるいは、側面と底面の双方である。通例、一対の鈴Ａ，Ｂは同一形状であるが、例えば、一方の鈴Ａは側面と底面の双方を平坦面５としたものとし、他方の鈴Ｂは、底面を平坦面５とした球面状のものとしてもよい。
【００１８】
これらの鈴本体１の一部に平坦面５を設ける構成の場合は、平坦面５同士が密着し合うことになるので（図４（Ａ）〜（Ｃ）参照）、鈴本体１が球状である場合よりも、安定した密着状態が得られる。なお、図４（Ａ）は、鈴Ａと鈴Ｂの側面同士が磁着している例を示し、図４（Ｂ）は、鈴Ａの側面と鈴Ｂの底面が磁着している例を示し、図４（Ｃ）は、鈴Ａと鈴Ｂの底面同士が磁着している例を示している。
【００１９】
上記各説明は、スライダーが二つ設けられている両開き式のファスナーのスライダー摘み１２，１３に本考案に係るペア鈴Ａ，Ｂを接続した場合のものであるが、本考案に係るペア鈴は、それに限られる訳ではなく、スライダーが一つの片開き式のファスナーに利用することもできる。その場合は、一方の鈴Ａを、固定側のスライダーの固定部付近に取り付け、他方の鈴Ｂを可動側のスライダーに取り付ける。
【００２０】
また、本考案に係るペア鈴は、ファスナーに限って使用されるものではなく、密着状態を保つことが好ましい種々の商品に利用することができる。例えば、一方の鈴Ａをドアに取り付け、他方の鈴Ｂをドア枠に取り付ける。その場合は、たとえ静かにドアを開けたとしても、必ず鈴の音が鳴ることになるので、防犯効果を期待することができる。
【産業上の利用可能性】
【００２１】
上述したように本考案に係るペア鈴は、通例、同一形状とされる二つの鈴で構成されるため、カバン、バッグ等の開口部における両開きファスナーに取り付けた場合に見栄えがよく、また、一方の鈴が損傷、紛失しても、替えが容易であるので経済的といった効果があり、ファスナーの開閉状態を把握できるのみならず、玄関のドア等においても防犯上役に立つものであり、産業上大いに利用可能性のある考案である。
【符号の説明】
【００２２】
Ａ，Ｂ      鈴
１          鈴本体
２          転動子
３          スリット状開口
４          下げ紐
５          平坦面
１１        ファスナー
１２，１３  スライダー摘み
【図１】
0003224924.tif 000003
【図２】
0003224924.tif 000004
【図３】
0003224924.tif 000005
【図４】
0003224924.tif 000006